(57)【要約】【課題】  動画撮影に適した配光分布を行なうことができる撮影装置を提供する。【解決手段】  被写界を複数に分割したときの各分割領域に対応して備えられ対応する分割領域に向けて光を照射するＬＥＤ１６ｂ１，…，１６ｂｎを有する照明部１６を配備し、動画撮影中に、ＣＣＤ１１２からの被写体輝度情報とＡＦ部２０からの被写体距離情報とに基づいて各分割領域ごとの照射光量を被写界条件に応じて調整して被写界を照明部１６で照明する。【選択図】  図１
2006323282.tif 000002
【特許請求の範囲】
【請求項１】
撮影光学系により撮像素子上に被写体像を結像して動画撮影を行なう撮影装置において、
動画撮影中に、被写界を複数に分割したときの各分割領域ごとに照射光量を独立に調整して被写界を照明する照明部と、
前記各分割領域ごとの照射光量を被写界条件に応じて調整する光量調整部とを備えたことを特徴とする撮影装置。
【請求項２】
前記各分割領域ごとの被写界輝度を測定するＡＥ部を備え、
前記光量調整部は、前記ＡＥ部からの被写体輝度情報に基づいて前記各分割領域ごとの照射光量を調整するものであることを特徴とする請求項１記載の撮影装置。
【請求項３】
前記ＡＥ部は、前記撮像素子を用いて前記各分割領域ごとの被写体輝度を測定するものであることを特徴とする請求項２記載の撮影装置。
【請求項４】
前記各分割領域ごとの被写界輝度を測定するＡＥ部と、
前記撮像素子とは別体の測距センサを有し該測距センサを用いて前記各分割領域ごとの被写体距離を測定するＡＦ部を備え、
前記光量調整部は、前記ＡＥ部からの被写体輝度情報と前記ＡＦ部からの被写体距離情報とに基づいて前記各分割領域ごとの照射光量を調整するものであることを特徴とする請求項１記載の撮影装置。
【請求項５】
前記照明部は、前記各分割領域に対応して備えられ対応する分割領域に向けて光を照射するＬＥＤを備えたことを特徴とする請求項１記載の撮影装置。
【発明の詳細な説明】
【技術分野】
【０００１】
本発明は、撮影光学系により撮像素子上に被写体像を結像して動画撮影を行なう撮影装置に関する。
【背景技術】
【０００２】
青色発光ダイオードの出現により、白色光を発光ダイオード（ＬＥＤ）で生成することもできるようになってきたため、今後の電力消費量を軽減することを考えて消費電力の大きな白熱灯を、消費電力の小さなＬＥＤに切り替えていこうという動きがある。このような動きはデジタルカメラの世界にも波及してきており、いままでフラッシュ撮影用に用いられていたキセノン管の代わりに上記ＬＥＤを適用しようとする動きが活発になってきている。例えば、特許文献１には、赤（Ｒ）、緑（Ｇ）、青（Ｂ）の各色のＬＥＤを発光させることにより、キセノン管によるフラッシュ光に代わる白色のフラッシュ光を被写体に照射する技術が提案されている。また、特許文献２には、動画撮影時に、撮像素子の露光に同期させて赤（Ｒ）、緑（Ｇ）、青（Ｂ）の各色のＬＥＤを発光させる技術が提案されている。
【特許文献１】特開２００１−２１５５７９号公報
【特許文献２】特開２００４−２４２１２３号公報
【発明の開示】
【発明が解決しようとする課題】
【０００３】
近年、動画撮影を行なうデジタルカメラが普及している。動画撮影では、被写体が近距離から遠距離に移動したり、あるいは逆に被写体が遠距離から近距離に移動したりするシーンが多い。このため、動画撮影を行なうデジタルカメラでは、移動する被写体位置に応じて適切な光量のフラッシュ光を照射する必要がある。換言すれば、動画撮影に適した配光分布を行なうことが必要である。しかし、上述した特許文献１，２に提案された技術では、被写界全体に対して均一の光量が照射される。このため、動画撮影に適した配光分布を行なうことは困難である。
【０００４】
本発明は、上記事情に鑑み、動画撮影に適した配光分布を行なうことができる撮影装置を提供することを目的とする。
【課題を解決するための手段】
【０００５】
上記目的を達成する本発明の撮影装置は、撮影光学系により撮像素子上に被写体像を結像して動画撮影を行なう撮影装置において、
動画撮影中に、被写界を複数に分割したときの各分割領域ごとに照射光量を独立に調整して被写界を照明する照明部と、
上記各分割領域ごとの照射光量を被写界条件に応じて調整する光量調整部とを備えたことを特徴とする。
【０００６】
本発明の撮影装置は、動画撮影中に、被写界を複数に分割したときの各分割領域ごとの照射光量を被写界条件に応じて調整して被写界を照明するものである。このため、配光分布を被写体の移動位置に応じて制御することができる。従って、動画撮影に適した配光分布を行なうことができる。
【０００７】
ここで、上記各分割領域ごとの被写界輝度を測定するＡＥ部を備え、
上記光量調整部は、上記ＡＥ部からの被写体輝度情報に基づいて上記各分割領域ごとの照射光量を調整するものであることが好ましい。
【０００８】
このように、ＡＥ部からの被写体輝度情報に基づいて各分割領域ごとの照射光量を調整すると、被写体の移動位置に応じて画面全体を適正な露出にすることができる。
【０００９】
また、上記ＡＥ部は、上記撮像素子を用いて上記各分割領域ごとの被写体輝度を測定するものであることも好ましい態様である。
【００１０】
このように、ＡＥ部が撮像素子を用いて各分割領域ごとの被写体輝度を測定するものであると、ＡＥ部に専用の受光素子を備えて各分割領域ごとの被写体輝度を測定する場合と比較し、回路構成を簡素化することができる。
【００１１】
さらに、上記各分割領域ごとの被写界輝度を測定するＡＥ部と、
上記撮像素子とは別体の測距センサを有しその測距センサを用いて上記各分割領域ごとの被写体距離を測定するＡＦ部を備え、
上記光量調整部は、上記ＡＥ部からの被写体輝度情報と上記ＡＦ部からの被写体距離情報とに基づいて上記各分割領域ごとの照射光量を調整するものであることも好ましい。
【００１２】
動画撮影においては、フォーカスレンズを光軸に沿って移動させながら、撮像素子で得られる画像信号に基づくコントラストが最も大きくなる位置を合焦位置とする、いわゆる山登り方式のＡＦ制御では、画面全体における距離情報の分布を得ることは困難である。そこで、このように、撮像素子とは別体の測距センサを有するＡＦ部を備え、ＡＥ部からの被写体輝度情報とＡＦ部からの被写体距離情報とに基づいて各分割領域ごとの照射光量を調整すると、被写体の移動位置に応じて画面全体を適正な露出にすることができるとともに、動画撮影において移動する被写体距離情報に合わせて適切な配光分布を行なうことができる。
【００１３】
また、上記照明部は、上記各分割領域に対応して備えられ対応する分割領域に向けて光を照射するＬＥＤを備えることも好ましい。
【００１４】
このようなＬＥＤを備えると、消費電力を小さく抑えたまま、動画撮影に適した配光分布を行なうことができる。
【発明の効果】
【００１５】
本発明の撮影装置によれば、動画撮影に適した配光分布を行なうことができる。
【発明を実施するための最良の形態】
【００１６】
以下、本発明の実施の形態について説明する。
【００１７】
図１は、本発明の撮影装置の第１実施形態であるデジタルカメラを示す図である。
【００１８】
図１（ａ）には、本発明の第１実施形態であるデジタルカメラを正面上方から見た図が示されている。また、図１（ｂ）には、本発明の第１実施形態であるデジタルカメラを背面上方から見た図が示されている。
【００１９】
図１に示すデジタルカメラ１００は、撮影光学系により撮像素子上に被写体像を結像して静止画撮影および動画撮影を行なうカメラである。
【００２０】
図１（ａ）に示すように、本実施形態のデジタルカメラ１００のカメラボディ中央にはレンズ鏡胴１７０が配備されている。そのレンズ鏡胴１７０に撮影レンズを含む撮影光学系が内蔵されており、その撮影光学系を通してデジタルカメラ１００内部に配備されている撮像素子であるＣＣＤ固体撮像素子（以降ＣＣＤという）まで被写体の像が導かれるようになっている。
【００２１】
また、図１（ａ）に示すデジタルカメラ１００のレンズ鏡胴１７０上方には、照明部１６が配備されている。この照明部１６は、動画撮影中に、被写界を複数に分割したときの各分割領域ごとに照射光量を独立に調整して被写界を照明する。また、この照明部１６は、上記各分割領域に対応して備えられ対応する分割領域に向けて光を照射するｎ個のＬＥＤ１６ｂ１，１６ｂ２，…，１６ｂｎを備えている。
【００２２】
また、図１（ａ）に示すデジタルカメラ１００のレンズ鏡胴１７０上方には、ＡＦ部２０が配備されている。このＡＦ部２０は、互いに所定距離だけ離れた位置に配置されたＡＦ受光窓２１，２２を有し、被写体からの自然散乱光（照明部１６や太陽光等）である反射光をそれらＡＦ受光窓２１，２２を介して受光素子で受光して、いわゆる三角測距の原理を用いることにより上記各分割領域ごとの被写体距離を測定する。
【００２３】
また、図１（ｂ）に示すように、本実施形態のデジタルカメラ１００の背面および上面には、ユーザがこのデジタルカメラ１００を使用するときに種々の操作を行なうための操作スイッチ群１０１が設けられている。
【００２４】
この操作スイッチ群１０１の中にはデジタルカメラ１００を作動させるための電源スイッチ１０１ａのほか、シャッタ釦１０２、十字キー１０１ｂ、メニュー／ＯＫキー１０１ｃ、キャンセルキー１０１ｄ、モードレバー１０１ｅなどがある。この操作スイッチ群１０１の中のモードレバー１０１ｅによって再生モードと撮影モードの切替えや撮影モードの中でさらに動画モード，静止画モードの切替えが行なわれる。このモードレバー１０１ｅが撮影モードに切り替えられるとスルー画が表示されてそのスルー画を見ながらシャッタ釦１０２が押されると被写体の撮影が行なわれ、再生側に切り替えられると既撮影画像の再生表示がＬＣＤパネル１５０上に行なわれる。
【００２５】
図２は、図１に示すデジタルカメラの構成を示すブロック図である。
【００２６】
本実施形態のデジタルカメラ１００ではすべての処理がメインＣＰＵ１１０によって制御されていて、このメインＣＰＵ１１０の入力部には図１（ｂ）に示した操作スイッチ群１０１からの操作信号がそれぞれ供給されている。メインＣＰＵ１１０はＥＥＰＲＯＭ１１０ａを有しており、このＥＥＰＲＯＭ１１０ａの中にはデジタルカメラ１００として動作するために必要なプログラムが書き込まれている。このような構成を持つデジタルカメラ１００の電源スイッチ１０１ａ（図１参照）が投入されると、ＥＥＰＲＯＭ１１０ａ内のプログラムの手順にしたがってメインＣＰＵ１１０によりこのデジタルカメラ１００全体の動作が制御される。
【００２７】
また、図２に示すデジタルカメラ１００には、前述したＡＦ部２０，ＣＣＤ１１２，各分割領域に対応して備えられたＬＥＤ１６ｂ１，１６ｂ２，…，１６ｂｎを有する照明部１６、および、各分割領域ごとの照射光量を被写界条件に応じて調整するＬＥＤ光量調整部１７が備えられている。このＬＥＤ光量調整部１７は、複数のトランジスタ素子からなる論理回路で構成されている。ここで、ＣＣＤ１１２は、本発明にいうＡＥ部の役割を担うものでもあり、このＣＣＤ１１２は、被写体輝度を測定するにあたり、上記各分割領域ごとの被写体距離を測定する。このため、被写体輝度を測定するための受光素子を備えて各分割領域ごとの被写体輝度を測定する場合と比較し、構成が簡素化されている。
【００２８】
ここで、操作スイッチ群１０１の中の電源スイッチ１０１ａが投入される。すると、メインＣＰＵ１１０により電源スイッチ１０１ａが投入されたことが検知され、電源１３０からメインＣＰＵ１１０，測光・測距ＣＰＵ１２０などの各ブロックに電力が供給される。ここで、操作スイッチ群１０１の中のモードレバー１０１ｅが撮影側に切り替えられていた場合には、撮影光学系１１１を構成する撮影レンズ１１１０，絞り１１１２を経由してＣＣＤ１１２に結像された被写体像が画像信号として所定の間隔ごとに間引かれて出力され、その出力された画像信号に基づく被写体像がＬＣＤパネル１５０上に表示される。このＣＣＤ１１２にはクロックジェネレータ（以下、ＣＧという）１１２１からタイミング信号が供給されており、このタイミング信号によって所定の間隔ごとに、画像信号が間引かれて出力される。このＣＧ１１２１はメインＣＰＵ１１０からの指示に基づいてタイミング信号を出力しており、そのタイミング信号は、ＣＣＤ１１２の他、後段のＡ／Ｄ部１１３、およびＷＢ（ホワイトバランス）調整部・γ処理部１１４にも供給されている。従って、ＣＣＤ１１２、Ａ／Ｄ部１１３、ＷＢ調整部・γ処理部１１４ではそのタイミング信号に同期して順序良く画像信号の処理が流れるように行なわれる。
【００２９】
このようにメインＣＰＵ１１０の指示に応じてＣＧ１１２１から出力されるタイミング信号に同期してＡ／Ｄ部１１３でデジタルの画像信号に変換され、またＷＢ調整部・γ処理部１１４でホワイトバランス調整やγ補正が所定の間隔ごとに行なわれていくときには、それらの画像信号の流れをうまく調整する必要があるので、後段にバッファメモリ１１５を設けて、そのバッファメモリ１１５によって所定の間隔ごとに画像信号をＹＣ処理部１１６に転送していくタイミングを調整している。そのバッファメモリ１１５からは古い時刻に記憶された画像信号から先にＹＣ処理部１１６へ転送される。そのＹＣ処理部１１６に転送された画像信号は、ＹＣ処理部１１６でＲＧＢ信号からＹＣ信号に変換され、その後バス１２１を介してＹＣ→ＲＧＢ変換部１５１に供給される。このＹＣ→ＲＧＢ変換部１５１でＹＣ信号が再びＲＧＢ信号に変換され、その変換されたＲＧＢ信号がドライバ１５２を経由してＬＣＤパネル１５０に供給される。これにより、ＬＣＤパネル１５０上に被写体像の画像表示が行なわれる。前述したＣＧ１１２１から出力されるタイミング信号に同期してＣＣＤ１１２、Ａ／Ｄ部１１３、ＷＢ調整部・γ補正部１１４が動作して、所定の間隔ごとにＣＣＤ１１２で生成された画像信号が処理されている訳であるから、このＬＣＤパネル１５０上には撮影レンズが向けられた方向の被写体が被写体像として常に表示され続ける。この表示され続けている被写体像を視認しながら、シャッタチャンスにシャッタ釦１０２が押されると、そのシャッタ釦１０２の押下タイミングを起点として所定の時間を経た後、ＣＣＤ１１２に結像された画像信号すべてがＲＧＢ信号となって出力される。このＲＧＢ信号はＹＣ処理部１１６でＹＣ信号に変換されてさらに圧縮・伸張部１１７でＹＣ信号が圧縮され、その圧縮された画像信号がＩ／Ｆ（インターフェース）１１８を経由してメモリカード１１９に記録される。この圧縮・伸張部１１７では静止画についてはＪＰＥＧ規格に準拠した圧縮方式で圧縮が行なわれてメモリカード１１９に画像信号が記録される。画像信号からなるファイルのヘッダ部には圧縮情報や撮影情報などが書き込まれており、このデジタルカメラ１００のモードレバー１０１ｅが再生側に切り替えられたら、メモリカード１１９からそのファイルのヘッダがまず読み出され、そのヘッダ内の圧縮情報に基づいてファイル内の圧縮画像信号が伸張されて画像信号が元に復元された後、その画像信号に基づく被写体像がＬＣＤパネル１５０上に表示される。
【００３０】
また、この実施形態のデジタルカメラ１００には、メインＣＰＵ１１０の他に測光・測距ＣＰＵ１２０が設けられており、この測光・測距ＣＰＵ１２０によって撮影光学系１１１を構成する撮影レンズ１１１０の位置制御や絞り１１１２の切替制御が行なわれる。
【００３１】
メインＣＰＵ１１０は、各分割領域ごとの被写体距離を測定するにあたり、ＡＦ部２０に向けて指示を出す。ＡＦ部２０では、そのＡＦ部２０に備えられた受光素子を用いて各分割領域ごとの被写体距離を測定する。また、ＬＥＤ光量調整部１７は、各領域ごとの照射光量を被写界条件に応じて調整するにあたり、ＣＣＤ１１２からの被写体輝度情報とＡＦ部２０からの被写体距離情報とに基づいて各分割領域ごとの照射光量を調整する。ここで、ＣＧ１１２１と協同して照明部１６の各ＬＥＤ１６ｂ１，…，１６ｂｎそれぞれの照射光量を調整するＬＥＤ光量調整部１７の動作タイミングを精度良く制御することができるようにフラッシュ発光タイミング制御部１４０も設けられている。
【００３２】
本実施形態のデジタルカメラ１００は、動画撮影中に、被写界を複数に分割したときの各分割領域ごとの照射光量を被写界条件に応じてＬＥＤ光量調整部１７で調整して被写界を照明部１６で照明するものである。このため、配光分布を被写体の移動位置に応じて制御することができる。従って、動画撮影に適した配光分布を行なうことができる。また、ＣＣＤ１１２からの被写体輝度情報とＡＦ部２０からの被写体距離情報とに基づいて各分割領域ごとの照射光量を調整するものである。このため、被写体の移動位置に応じて画面全体を適正な露出にすることができるとともに、動画撮影において移動する被写体距離情報に合わせて適切な配光分布を行なうことができる。また、照明部１６は、上記各分割領域に対応して備えられ対応する分割領域に向けて光を照射するＬＥＤ１６ｂ１，…，１６ｂｎを備えたものであるため、消費電力を小さく抑えたまま、動画撮影に適した配光分布を行なうことができる。
【００３３】
次に、電源スイッチ１０１ａが投入されモードレバー１０１ｅにより撮影モードが指定され、さらにシャッタ釦１０２が操作されたときにメインＣＰＵ１１０が行なう撮影処理について説明する。
【００３４】
図３は、メインＣＰＵが行なう撮影処理の手順を示すフローチャートである。
【００３５】
先ず、ステップＳ１でシャッタ釦１０２の半押し時にＣＣＤ１１２でＡＥ処理を行なってその結果を測光・測距ＣＰＵ１２０に伝えて測光・測距ＣＰＵ１２０に絞り１１１２の開口を変更させる。同じく半押し時に次のステップＳ２においてＡＦ部２０でＡＦ処理を行なう。ここでシャッタ釦１０２が全押しされたら次のステップＳ３で測光・測距ＣＰＵ１２０に指示を出してＣＧ１１２１からＣＣＤ１１２へ露光開始信号を供給させて露光を開始させる。露光終了時に露光終了信号をＣＧ１１２１からＣＣＤ１１２へ供給させて、次のステップＳ４でＣＣＤ１１２から画像信号をＡ／Ｄ部１１３へと出力させる。さらに、ステップＳ５で、Ａ／Ｄ部１１３にアナログの画像信号からデジタルの画像信号への変換を行なわせてＷＢ調整部・γ処理部１１４へ供給させ、ステップＳ６でＷＢ調整部・γ処理部１１４に画像処理を行なわせ、画像処理を行なわせた画像信号をバッファメモリ１１５に出力させる。そのバッファメモリ１１５に出力させた画像信号を、タイミングを計ってＹＣ処理部１１６に転送してＹＣ処理部１１６に画像処理を行なわせ、次のステップＳ７に進む。ステップＳ７では、圧縮・伸張部１１７に画像圧縮させた後、ステップＳ８でＩ／Ｆ１１８に記録媒体であるメモリカード１１９への記録を行なわせてこのフローの処理を終了する。
【００３６】
図４は、ステップＳ３の露光処理の詳細を示すフローチャートである。
【００３７】
先ず、ステップＳ１１において、フレームレートとＦ値、ＩＳＯ感度、ＡＥ結果（輝度分布）より、被写体が適正な露光となるように各ＬＥＤを発光させる。次に、ステップＳ１２において、シャッタ釦１０２の全押し操作に応じてクロックジェネレータ１１２１に露光開始信号をＣＣＤ１１２へ向けて供給させることにより電子シャッタ（メカシャッタがあったらメカシャッタも）を開けて、次のステップＳ１３に進む。
【００３８】
ステップＳ１３では、撮影が継続か停止かが判定される。撮影が停止であると判定された場合は、後述するステップＳ１６に進む。一方、撮影が継続であると判定された場合はステップＳ１４に進む。ステップＳ１４では、ＣＣＤのＡＥ情報から、各ＬＥＤに対応した被写体の輝度変化を計測する。計測した結果、ＡＥ情報である露出値ΔＥVが０．５未満の場合はステップＳ１３に戻り、一方ＡＥ情報である露出値ΔＥVが０．５以上の場合はステップＳ１５に進む。
【００３９】
ステップＳ１５では、適正な露出になるように光量制御する。即ち、適正な露出でない場合はステップＳ１３に戻り、適正な露出である場合はステップＳ１６に進む。ステップＳ１６ではシャッタを閉にし、さらにステップＳ１７においてＬＥＤの発光を停止してこのフローの処理を終了する。
【００４０】
図５は、ステップＳ３の、図４に示す露光処理とは異なる露光処理の詳細を示すフローチャートである。
【００４１】
先ず、ステップＳ２１において、フレームレートとＦ値、ＩＳＯ感度、ＡＥ結果（輝度分布）より、被写体が適正な露光となるように各ＬＥＤを発光させる。次に、ステップＳ２２において、シャッタ釦１０２の全押し操作に応じてクロックジェネレータ１１２１に露光開始信号をＣＣＤ１１２へ向けて供給させることによりシャッタを開けて、次のステップＳ２３に進む。
【００４２】
ステップＳ２３では、撮影が継続か停止かが判定される。撮影が停止であると判定された場合は、後述するステップＳ２８に進む。一方、撮影が継続であると判定された場合はステップＳ２４に進む。ステップＳ２４では、ＡＦ部のＡＦ情報より照射エリアの被写体距離がフラッシュ光到達距離より近いか遠いかの判定が行なわれる。被写体距離がフラッシュ光到達距離より遠いと判定された場合は、ステップＳ２５に進む。ステップＳ２５では、対応ＬＥＤの発光を停止してステップＳ２３に戻る。このようにすることにより、対応ＬＥＤの無駄な発光が抑えられるため、消費電力の低減化が図られる。一方、被写体距離がフラッシュ光到達距離より近いと判定された場合は、ステップＳ２６に進む。
【００４３】
ステップＳ２６では、ＣＣＤのＡＥ情報から、各ＬＥＤに対応した被写体の輝度変化を計測する。計測した結果、ＡＥ情報である露出値ΔＥVが０．５未満の場合はステップＳ２３に戻り、一方ＡＥ情報である露出値ΔＥVが０．５以上の場合はステップＳ２７に進む。
【００４４】
ステップＳ２７では、適正な露出になるように光量制御する。即ち、適正な露出でない場合はステップＳ２３に戻り、適正な露出である場合はステップＳ２８に進みシャッタを閉にし、さらにステップＳ２９においてＬＥＤの発光を停止してこのフローの処理を終了する。
【００４５】
図６は、本発明の撮影装置の第２実施形態であるデジタルカメラを示す図である。
【００４６】
図６には、本発明の第２実施形態であるデジタルカメラを正面上方から見た図が示されている。尚、本発明の第２実施形態であるデジタルカメラを背面上方から見た図は、前述した図１（ｂ）に示したデジタルカメラ１００を背面上方から見た図と同じであるため、図示省略する。
【００４７】
図６に示すデジタルカメラ２００は、図１に示すデジタルカメラ１００と比較し、ｎ個のＬＥＤからなる照明部１６が、１つのＬＥＤからなる照明部２１６に置き換えられている点が異なっている。
【００４８】
図７は、図６に示すデジタルカメラの構成を示すブロック図である。
【００４９】
図７に示すデジタルカメラ２００の構成は、図２に示すデジタルカメラ１００の構成と比較し、上述した照明部２１６と、ＬＥＤ光量調整部１７に代わるＬＥＤ光量調整部２１７が備えられている点が異なっている。ここで、ＬＥＤ光量調整部２１７には液晶が用いられている。
【００５０】
図８は、図７に示す照明部とＬＥＤ光量調整部の分解斜視図である。
【００５１】
図８には、照明部２１６と、ＬＥＤ光量調整部２１７と、各分割領域ａごとに分割されてなる被写界Ａとが示されている。ＬＥＤ光量調整部２１７は、光透過性と遮光性とに制御される複数の液晶セルが封入された液晶であり、このＬＥＤ光量調整部２１７は、被写界Ａが分割された分割領域ａそれぞれに対応する分割領域を有する。
【００５２】
図９は、図６に示すデジタルカメラにおける露光処理の詳細を示すフローチャートである。
【００５３】
先ず、ステップＳ３１において、フレームレートとＦ値、ＩＳＯ感度、ＡＥ結果（輝度分布）より、被写体が適正露光となるように液晶の濃度分布を設定し、ＬＥＤを発光させる。次に、ステップＳ３２において、シャッタを開けて、次のステップＳ３３に進む。
【００５４】
ステップＳ３３では、撮影が継続か停止かが判定される。撮影が停止であると判定された場合は、後述するステップＳ３６に進む。一方、撮影が継続であると判定された場合はステップＳ３４に進む。ステップＳ３４では、ＣＣＤのＡＥ情報から、分割したエリアの各被写体の輝度変化を計算する。計算した結果、ＡＥ情報である露出値ΔＥVが０．５未満の場合はステップＳ３３に戻り、一方ＡＥ情報である露出値ΔＥVが０．５以上の場合はステップＳ３５に進む。
【００５５】
ステップＳ３５では、輝度変化の大きい被写体が適正な露出になるように液晶の透過率を設定する。即ち、適正な露出でない場合はステップＳ３３に戻り、適正な露出の場合はステップＳ３６に進む。ステップＳ３６ではシャッタを閉にし、さらにステップＳ３７においてＬＥＤの発光を停止してこのフローの処理を終了する。
【００５６】
このように、１つのＬＥＤからなる照明部２１６と、液晶を用いたＬＥＤ光量制御部２１７を備えて、動画撮影に適した配光分布を行なってもよい。
【００５７】
尚、上述した本実施形態では、デジタルカメラの例で説明したが、これに限られるものではなく、本発明は、携帯電話に搭載されるカメラやビデオカメラ等であってもよい。
【図面の簡単な説明】
【００５８】
【図１】本発明の撮影装置の第１実施形態であるデジタルカメラを示す図である。
【図２】図１に示すデジタルカメラの構成を示すブロック図である。
【図３】メインＣＰＵが行なう撮影処理の手順を示すフローチャートである。
【図４】ステップＳ３の露光処理の詳細を示すフローチャートである。
【図５】ステップＳ３の、図４に示す露光処理とは異なる露光処理の詳細を示すフローチャートである。
【図６】本発明の撮影装置の第２実施形態であるデジタルカメラを示す図である。
【図７】図６に示すデジタルカメラの構成を示すブロック図である。
【図８】図７に示す照明部とＬＥＤ光量調整部の分解斜視図である。
【図９】図６に示すデジタルカメラにおける露光処理の詳細を示すフローチャートである。
【符号の説明】
【００５９】
１６，２１６  照明部
１６ｂ１，…，１６ｂｎ  ＬＥＤ
１７，２１７  ＬＥＤ光量調整部
２０  ＡＦ部
２１，２２  ＡＦ受光窓
１００，２００  デジタルカメラ
１０１  操作スイッチ群
１０１ａ  電源スイッチ
１０１ｂ  十字キー
１０１ｃ  メニュー／ＯＫキー
１０１ｄ  キャンセルキー
１０１ｅ  モードレバー
１０２  シャッタ釦
１０５  ファインダ
１１０  メインＣＰＵ
１１０ａ  ＥＥＰＲＯＭ
１１１  撮影光学系
１１２  ＣＣＤ
１１３  Ａ／Ｄ部
１１４  ＷＢ調整部・γ処理部
１１５  バッファメモリ
１１６  ＹＣ処理部
１１７  圧縮・伸張部
１１８  Ｉ／Ｆ
１１９  メモリカード
１２０  測光・測距ＣＰＵ
１２１  バス
１３０  電源
１４０  フラッシュ発光タイミング制御部
１５１  ＹＣ→ＲＧＢ変換部
１５２  ドライバ
１５０  ＬＣＤパネル
１７０  レンズ鏡胴
１１１０  撮影レンズ
１１１２  絞り
１１２１  クロックジェネレータ
【図１】
2006323282.tif 000003
【図２】
2006323282.tif 000004
【図３】
2006323282.tif 000005
【図４】
2006323282.tif 000006
【図５】
2006323282.tif 000007
【図６】
2006323282.tif 000008
【図７】
2006323282.tif 000009
【図８】
2006323282.tif 000010
【図９】
2006323282.tif 000011